(57)【要約】【課題】設定された運転に対する実際の運転の状態を利用者に実感させることにより、省エネルギー化を促進することのできる給湯装置を提供する。【解決手段】記憶された運転データに基づいて理想的な運転として設定された運転に対する実際の運転の達成度Ｘ１を算出し、算出された達成度Ｘ１を台所用リモコン７１及び浴室用リモコン７２の表示部７１ｂ，７２ｂに表示するようにしたので、理想的な運転として設定された運転に対する実際の運転の状態を容易に確認することができ、理想的な運転として設定された運転に対する実際の運転の状態を利用者に実感させることにより省エネルギー化を促進することが可能となる。【選択図】図２
2009121781.tif 000002
【特許請求の範囲】
【請求項１】
供給された水を加熱する給湯装置において、
過去の運転に関する情報を記憶する記憶手段と、
設定された運転に対する実際の運転の達成度を記憶手段に記憶された情報に基づいて算出する算出手段と、
算出手段によって算出された結果を表示する表示手段とを備えた
ことを特徴とする給湯装置。
【請求項２】
前記算出手段を、設定された運転時に排出されると推定される二酸化炭素排出量に対する実際の運転における二酸化炭素排出量の達成度を算出するように構成した
ことを特徴とする請求項１記載の給湯装置。
【請求項３】
前記算出手段を、設定された運転時に消費されると推定される消費エネルギーの料金に対する実際の運転における消費エネルギーの料金の達成度を算出するように構成した
ことを特徴とする請求項１記載の給湯装置。
【請求項４】
前記算出手段を、設定された運転時に排出されると推定される二酸化炭素排出量に対する実際の運転における二酸化炭素排出量の達成度を算出、または、設定された運転時に消費されると推定される消費エネルギーの料金に対する実際の運転における消費エネルギーの料金の達成度を算出するように構成し、
二酸化炭素排出量の達成度または消費エネルギーの料金の達成度を切り換え可能に表示手段に表示する表示切換手段を備えた
ことを特徴とする請求項１記載の給湯装置。
【請求項５】
前記表示手段に、過去の所定期間の達成度を並べて表示手段に表示するようにした
ことを特徴とする請求項１乃至４の何れか１項記載の給湯装置。
【請求項６】
加熱する水量や水温等が異なる複数の運転モードと、
過去の達成度に基づいて最適な運転モードを選択する制御手段とを備えた
ことを特徴とする請求項１乃至５の何れか１項記載の給湯装置。
【発明の詳細な説明】
【技術分野】
【０００１】
本発明は、過去の運転状態等の情報をリモコンの表示部等に表示可能な給湯装置に関するものである。
【背景技術】
【０００２】
従来、この種の給湯装置としては、水を加熱する際の消費エネルギー量の情報を記憶するための記憶手段と、記憶手段に記憶された情報を表示するための表示手段とを備え、例えば２４時間単位毎等、所定期間毎の消費エネルギー量を表示手段に表示するようにしたものが知られている（例えば、特許文献１参照）。
【特許文献１】特開２０００−２７４８０９号公報
【発明の開示】
【発明が解決しようとする課題】
【０００３】
従来の給湯装置では、台所または浴室の壁面に設けられたリモコンに表示手段が設けられ、例えば表示手段に当日及び前日の消費電力量を表示することにより、節約する意識の向上を図るようになっている。しかし、表示手段には、当日及び前日の消費電力量が表示されるだけであり、最も理想的な運転として設定された運転に対する実際の運転の状態を実感することはできない。
【０００４】
本発明は前記問題点に鑑みてなされたものであり、その目的とするところは、設定された運転に対する実際の運転の状態を利用者に実感させることにより、省エネルギー化を促進することのできる給湯装置を提供することにある。
【課題を解決するための手段】
【０００５】
本発明は前記目的を達成するために、供給された水を加熱する給湯装置において、過去の運転に関する情報を記憶する記憶手段と、設定された運転に対する実際の運転の達成度を記憶手段に記憶された情報に基づいて算出する算出手段と、算出手段によって算出された結果を表示する表示手段とを備えている。
【０００６】
これにより、設定された運転に対する実際の運転の達成度が表示されることから、設定された運転に対する実際の運転状態の確認が容易となる。
【発明の効果】
【０００７】
本発明によれば、設定された運転に対する実際の運転の状態を確認することができるので、設定された運転に対する実際の運転の状態を利用者に実感させることにより省エネルギー化を促進することが可能となる。
【発明を実施するための最良の形態】
【０００８】
図１乃至図２は本発明の第１実施形態を示すもので、図１は給湯装置の概略構成図、図２は達成度を表示する台所用リモコン及び浴室用リモコンの表示部である。
【０００９】
この給湯装置は、電力を利用して水を加熱するためのヒートポンプユニット１０と、ヒートポンプユニット１０において加熱した温水を貯えるためのタンクユニット２０と、タンクユニット２０や浴室及び台所に水を供給するための給水管３０と、タンクユニット２０に貯えられた温水を浴室及び台所に供給するための給湯管４０と、ヒートポンプユニット１０とタンクユニット２０との間に水を循環させるための第１循環回路５０と、タンクユニット２０と浴室の浴槽６１の間に浴槽６１の水を循環させるための第２循環回路６０とを備えている。この給湯装置は、ヒートポンプユニット１０において加熱した温水をタンクユニット２０に貯え、タンクユニット２０に貯えられた温水を、台所での洗い物用の温水や浴室での入浴用の温水として供給する他、浴槽６１に貯められた湯の追い炊きの熱源として供給するものである。
【００１０】
ヒートポンプユニット１０は、電動の圧縮機１１、ガスクーラ１２、膨張弁１３及び蒸発器１４を有し、これらを銅またはステンレス等の管によって順次接続することにより冷媒回路１０ａが構成されている。また、冷媒回路１０ａには、高圧側が超臨界状態となる二酸化炭素が冷媒として充填されている。ガスクーラ１２は、冷媒−水熱交換器であり、水側の流路が第１循環回路５０の一部となっている。蒸発器１４は、冷媒−空気熱交換器であり、その近傍には冷媒と熱交換する空気を流通させるための送風機１４ａが設けられている。
【００１１】
タンクユニット２０は、貯湯タンク２１と、第２循環回路６０を流通する浴槽６１の水と貯湯タンク２１内の温水を熱交換するための追い炊き用熱交換器２２と、貯湯タンク２１と追い炊き用熱交換器２２との間に温水を循環させるための第３循環回路２３とを有している。
【００１２】
貯湯タンク２１は、ステンレスまたは繊維強化プラスチック（ＦＲＰ）等からなり、貯えた温水の放熱を抑制するために、グラスウールまたは発泡ウレタン等の断熱材によって外部が覆われている。また、貯湯タンク２１は、本実施形態においては、３７０リットルのタンクが用いられる。
【００１３】
追い炊き用熱交換器２２は、水−水熱交換器であり、一方の流路が第２循環回路６０の一部となっており、他方の流路が第３循環回路２３の一部となっている。
【００１４】
第３循環回路２３は、貯湯タンク２１の上部、追い炊き用熱交換器２２、循環ポンプ２３ａ、貯湯タンク２１の下部の順に、銅管またはステンレス管によって接続することにより構成され、循環ポンプ２３ａによって貯湯タンク２１の上部の温水が追い炊き用熱交換器２２を流通して貯湯タンク２１の下部に戻るようになっている。
【００１５】
給水管３０は、貯湯タンク２１の下部に接続された第１給水管３１と、給湯管４０に接続された第２給水管３２と、浴室及び台所の水栓Ａに接続された第３給水管３３とを有している。第１給水管３１、第２給水管３２及び第３給水管３３の上流側の給水管３０には、上水道から供給される水を所定の圧力に減圧して流通させるための減圧弁３０ａが設けられている。
【００１６】
給湯管４０は、一端側が貯湯タンク２１の上部に接続され、他端側が貯湯タンク２１の温水と第２給水管３２を流通する水とを混合するための第１混合弁４０ａ及び第２混合弁４０ｂに接続された第１給湯管４１と、一端側が第１混合弁４０ａに接続され、他端側が浴室及び台所の水栓Ａに接続された第２給湯管４２と、一端側が第２混合弁４０ｂに接続され、他端側が第２循環回路６０に接続された第３給湯管４３とを有している。給湯管４０には、第１給水管３１から貯湯タンク２１内に流入する水の圧力によって、貯湯タンク２１の上部の温水が流通するようになっている。また、第３給湯管４３には、流路を開閉するための電磁弁４３ａが設けられている。
【００１７】
第１循環回路５０は、貯湯タンク２１の下部、循環ポンプ５１、ガスクーラ１２、貯湯タンク２１の上部を順に銅管、ステンレス管または架橋ポリエチレン管等によって接続することにより構成され、循環ポンプ５１によって貯湯タンク２１の下部の水がガスクーラ１２を流通し、貯湯タンク２１の上部に流入するようになっている。
【００１８】
第２循環回路６０は、浴槽６１、循環ポンプ６２、追い炊き用熱交換器２２、浴槽６１を順に銅管ステンレス管または架橋ポリエチレン管等によって接続することにより構成され、循環ポンプ６２によって浴槽６１の湯が追い炊き用熱交換器２２を流通し、浴槽６１に戻されるようになっている。
【００１９】
また、給湯装置を運転するための電力は、電力会社から供給されるようになっており、火力発電、原子力発電及び水力発電など、複数の発電方法によって発電された電力が組み合わされて供給されるようになっている。また、電力会社から供給される電力は、昼間（ここでは、７：００〜２３：００）は主に火力発電及び原子力発電によって発電した電力が供給され、夜間（ここでは、２３：００〜７：００）は主に原子力発電によって発電した電力が供給されるようになっている。原子力発電による発電の際に排出される二酸化炭素量は火力発電による発電の際に排出される二酸化炭素排出量と比較して少ないため、夜間に供給される電力を発電する際に排出される二酸化炭素量（例えば、０．２６０ｋｇＣＯ２／ｋＷｈ）は、昼間に供給される電力を発電する際に排出される二酸化炭素量（例えば、０．３５７ｋｇＣＯ２／ｋＷｈ）と比較して少ない。また、電力会社から供給される電力は、昼間の時間帯（例えば７：００〜２３：００）の電気料金（例えば２６円／ｋＷｈ）と比較して夜間の時間帯（２３:００〜７：００）の電気料金（例えば８円／ｋＷｈ）が安く設定されている。
【００２０】
また、この給湯装置は、タンクユニット２０に設けられ、運転制御を行うための制御部７０と、台所及び浴室にそれぞれ設けられ、運転の操作及び設定を行うための台所用リモコン７１と及び浴室用リモコン７２とを備えている。
【００２１】
制御部７０は、マイクロコンピュータによって構成され、その記憶手段としてのメモリには、運転の動作、運転モードの設定、理想的な運転として設定された運転に対する実際の運転の達成度を算出して台所用リモコン７１及び浴室用リモコン７２の後述する表示部に表示するためのプログラムが記憶されるとともに、過去の沸き増し運転時の給湯量及び沸き増し運転を行った時間帯などの運転状態に関するデータが記憶されるようになっている。また、制御部７０は、貯湯タンク２１に貯えられた温水の温度等の過去の運転状態に対する実際の温水の使用状態等から効率的な運転を行うように、最適な運転モードを選択することができるようになっている。
【００２２】
制御部７０には、台所用リモコン７１、浴室用リモコン７２、第１循環回路５０に設けられ、ヒートポンプユニット１０によって加熱した水の量を計測するための流量センサ７３が接続されている。
【００２３】
台所用リモコン７１及び浴室用リモコン７２は、それぞれ通信ケーブルによって制御部７０に接続されており、浴槽６１への温水の供給や追い炊き等の運転に関するスイッチ、供給される温水の温度を設定するための温度設定スイッチ、台所用リモコンと浴室用リモコンの優先権を切り替えるための優先スイッチ、台所と浴室の間で会話するための通話スイッチ等の複数のスイッチ７１ａ，７２ａと、運転状態及び設定温度等を表示するための表示部７１ｂ，７２ｂとを有している。
【００２４】
表示部７１ｂ，７２ｂの表示は、スイッチ７１ａ，７２ａの操作によって切り替えられるようになっており、理想的な運転として設定された運転に対する実際の運転の達成度を１日単位で当日の途中経過及び過去６日分表示できるようになっている。
【００２５】
以上のように構成された給湯装置において、深夜電力を利用して水を加熱する沸き上げ運転や貯湯タンク２１の残湯量が所定量以下となった場合に追加して水を加熱する沸き増し運転を行う場合には、圧縮機１１、送風機１４ａ及び循環ポンプ５１を運転する。これにより、圧縮機１１から吐出された冷媒は、ガスクーラ１２を流通して放熱した後に膨張弁１３を介して蒸発器１４に流入して吸熱し、圧縮機１１に吸入される。また、貯湯タンク２１の下部の水は、循環ポンプ５１によって第１循環回路５０を流通し、ガスクーラ１２において冷媒と熱交換することにより加熱され、貯湯タンク２１の上部側に貯えられる。予め設定された温度の温水が貯湯タンク２１に設定された量が貯えられると、圧縮機１１、送風機１４ａ及び循環ポンプ５１を停止する。
【００２６】
沸き上げ運転において、運転モードによって、貯湯タンク２１に貯えられる温水の温度は６５℃〜９０℃の範囲で設定され、貯湯タンク２１に貯えられる温水の量は３７０ｌ〜３２０ｌの範囲で設定されるようになっている。また、沸き増し運転において、貯湯タンク２１に貯えられる温水の温度は、直前の沸き上げ運転時の設定温度が設定される。
【００２７】
沸き上げ運転に関して、制御部７０は、貯湯タンク２１からの熱の放出を減らすために、深夜電力の供給が停止される時刻に沸き上げ運転を終了するように、沸き上げ運転を逆算された時刻から開始する。例えば、沸き上げ運転によって貯湯タンク２１を所定温度の水で満水にするために５時間必要である場合には、沸き上げ運転は、２：００に開始され、７：００に終了する。
【００２８】
また、台所または浴室において水栓Ａから供給される温水は、貯湯タンク２１の上部の温水が第１給湯管４１を流通し、第１混合弁４０ａにおいて第２給水管３２を流通する水と混合されて台所用リモコン７１または浴室用リモコン７２において設定された設定温度の温水となり、第２給湯管４２を流通することにより供給される。
【００２９】
また、浴槽６１に温水を貯めるときに供給される温水は、貯湯タンク２１の上部の温水が第１給湯管４１を流通し、第２混合弁４０ｂにおいて第２給水管３２を流通する水と混合されて台所用リモコン７１または浴室用リモコン７２において設定された設定温度の温水となり、第３給湯管４３及び第２循環回路６０を流通することにより供給される。
【００３０】
また、追い炊き運転は、循環ポンプ２３ａ，６２を運転することにより、第２循環回路６０を浴槽６１の温水を循環させ、第３循環回路２３を貯湯タンク２１の温水を循環させる。これにより、浴槽６１の温水は、追い炊き用熱交換器２２において貯湯タンク２１の上部の温水と熱交換することにより加熱され、浴槽６１に戻される。
【００３１】
ここで、理想的な運転として設定された運転に対する実際の運転の達成度Ｘ１を算出する方法を説明する。達成度Ｘ１は、沸き上げ運転を理想的な運転として設定された運転として定義した数値１００から、沸き増し運転によって加熱された水の量ａ（ｌ）に１ｌ当たりの数値ｂ（１／ｌ）と沸き増し運転を行った時間帯に関する係数ｋ（例えば、７：００〜２３：００はｋ＝１、２３：００〜７：００はｋ＝０．３）を乗じた数値を減算することにより算出される。
【００３２】
例えば、ｂ＝０．５，ｋ＝１（７：００〜２３：００），０．３（２３：００〜７：００）とした場合に、２４時間単位で、沸き増し運転によって７：００〜２３：００の間に５０ｌの水が加熱され、２３：００〜７：００の間に３０ｌの水が加熱されると、達成度Ｘ１＝１００−５０（ｌ）×０．５（１／ｌ）×１−３０（ｌ）×０．５（１／ｌ）×０．３＝６０．５となる。つまり、達成度Ｘ１は、２４時間の間に沸き増し運転を一切行わなければ数値が１００となり、沸き増し運転による加熱水量が多くなるほど低くなる。また、達成度Ｘ１は、同じ沸き増し運転による加熱水量でも、２３：００〜７：００の時間帯よりも７：００〜２３：００の時間帯に沸き増し運転を行った場合に低くなる。
【００３３】
ここで、係数ｋは、７：００〜２３：００の時間帯と２３：００〜７：００の時間帯によって異なるが、時間帯による電気料金の差、発電時の二酸化炭素排出量の差を考慮に入れたものである。つまり、７:００〜２３：００の時間帯は、電気料金が高く、発電時の二酸化炭素排出量が多くなる。また、２３:００〜７：００の時間帯は、電気料金が安く、発電時の二酸化炭素排出量が少なくなる。従って、電気料金が変化する時間帯と発電時の二酸化炭素排出量が変化する時間帯が異なる場合には、それぞれの条件によって係数ｋを設定すればよい。
【００３４】
また、制御部７０によって算出された達成度Ｘ１は、図２に示すように、表示部７１ｂ，７２ｂに達成度Ｘ１を最高１００として棒グラフに表示される。この棒グラフは、過去７日の達成度Ｘ１が互いに並べられて表示される。これにより、過去７日の達成度Ｘ１を容易に比較することができる。
【００３５】
このように、本実施形態の給湯装置によれば、記憶された運転データに基づいて理想的な運転として設定された運転に対する実際の運転の達成度Ｘ１を算出し、算出された達成度Ｘ１を台所用リモコン７１及び浴室用リモコン７２の表示部７１ｂ，７２ｂに表示するようにしたので、理想的な運転として設定された運転に対する実際の運転の状態を容易に確認することができ、理想的な運転として設定された運転に対する実際の運転の状態を利用者に実感させることにより省エネルギー化を促進することが可能となる。
【００３６】
図３乃至図７は本発明の第２実施形態を示すもので、図３は給湯装置の概略構成図、図４は達成率を表示する台所用リモコン及び浴室用リモコンの表示部、図５は沸き上げ運転のみの達成率を表示する台所用リモコン及び浴室用リモコンの表示部、図６は沸き増し運転のみの達成率を表示する台所用リモコン及び浴室用リモコンの表示部、図７は沸き上げ運転及び沸き増し運転の達成率をそれぞれ並べて表示する台所用リモコン及び浴室用リモコンの表示部である。尚、前記実施形態と同様の構成部分には同一の符号を付して示す。
【００３７】
この給湯装置の制御部７０には、ヒートポンプユニット１０によって加熱される前の水温を検出するための第１温度センサ７４と、外気の温度を検出するためにヒートポンプユニット１０に設けられた第２温度センサ７５が接続されている。
【００３８】
制御部７０は、外気温Ｔａ（℃）において水温Ｔｂ（℃）の水Ｆ（ｌ）を目的の温度Ｔｃ（℃）まで加熱する際のヒートポンプユニット１０の消費電力量Ｗ（Ｗｈ）の実験や過去の運転実績などから得られるデータをメモリに記憶しており、第１温度センサ７４の検出温度Ｔ１及び第２温度センサ７５の検出温度Ｔ２に基づいて、目的の温度Ｔｃ（℃）まで水を加熱する際の消費電力量Ｗ（Ｗｈ）を算出するようになっている。
【００３９】
また、制御部７０は、沸き上げ運転時及び沸き増し運転時の消費電力量Ｗ（Ｗｈ）と、沸き増し運転が行われた時間帯とに基づいて二酸化炭素排出量Ｃ（ｋｇ）及び電気料金Ｒ（円）を算出するとともに、二酸化炭素排出量Ｃ（ｋｇ）及び電気料金Ｒ（円）それぞれの面について最も効率的な運転に対する実際の運転の達成度としての達成率Ｘ２，Ｘ３を算出するようになっている。また、制御部７０は、二酸化炭素排出量Ｃ（ｋｇ）及び電気料金Ｒ（円）に関する達成率Ｘ２，Ｘ３を台所リモコン７１及び浴室用リモコン７２の表示部７１ｂ，７２ｂに表示するようになっている。
【００４０】
以上のように構成された給湯装置において、制御部７０は、次のように、沸き上げ運転に関する達成率Ｘ２１を算出する。制御部７０は、第２温度センサ７５の検出温度Ｔ２（℃）において第１温度センサ７４の検出温度Ｔ１（℃）の水Ｆ１（ｌ）を目的の温度Ｔｃ１（℃）まで加熱する際の推定の消費電力量Ｗ１（Ｗｈ）を算出し、算出された消費電力量Ｗ１（Ｗｈ）に基づいて実際の沸き上げ運転時に発生すると推定される二酸化炭素排出量Ｃ１（ｋｇ）（例えば、０．２６０ｋｇＣＯ２／ｋＷｈ）を算出する。また、制御部７０は、第１温度センサ７４の検出温度Ｔ１（℃）及び第２温度センサ７５の検出温度Ｔ２（℃）に基づいて、最も効率的な沸き上げ運転時（例えば、水温６５℃、貯水量３２０ｌ）に発生すると推定される二酸化炭素排出量Ｃｍｉｎ（ｋｇ）と、最も効率の悪い沸き上げ運転時（例えば、水温９０℃、貯水量３７０ｌ）に発生すると推定される二酸化炭素排出量Ｃｍａｘ１（ｋｇ）を算出する。更に、制御部７０は、実際の沸き上げ運転時に発生すると推定される二酸化炭素排出量Ｃ１（ｋｇ）、最も効率的な沸き上げ運転に発生すると推定される二酸化炭素排出量Ｃｍｉｎ（ｋｇ）及び最も効率の悪い沸き上げ運転時に発生すると推定される二酸化炭素排出量Ｃｍａｘ１（ｋｇ）から、沸き上げ運転に関する達成率Ｘ２１＝（Ｃｍａｘ１−Ｃ１）／（Ｃｍａｘ１−Ｃｍｉｎ）×１００のように算出する。
【００４１】
また、制御部７０は、次のように、沸き増し運転に関する達成率Ｘ２２を算出する。制御部７０は、各沸き増し運転時において、第２温度センサ７５の検出温度Ｔ２（℃）において第１温度センサ７４の検出温度Ｔ１（℃）の水Ｆ２（ｌ）を目的の温度Ｔｃ１（℃）まで加熱する際の推定の消費電力量Ｗ２（Ｗｈ）を算出し、算出された消費電力量Ｗ２（Ｗｈ）に基づいて実際の沸き増し運転時に発生すると推定される二酸化炭素排出量Ｃ２（ｋｇ）を算出する。このとき、沸き増し運転を行う時間帯によって推定される単位電力当たりの二酸化炭素排出量が異なるため、ここでは、７：００〜２３：００の時間帯に行われた沸き増し運転時に発生すると推定される二酸化炭素排出量Ｃ２１（ｋｇ）（例えば、０．３５７ｋｇＣＯ２／ｋＷｈ）と、２３：００〜７：００の時間帯に行われた沸き増し運転時に発生すると推定される二酸化炭素排出量Ｃ２２（ｋｇ）（例えば、０．２６０ｋｇＣＯ２／ｋＷｈ）とをそれぞれ算出する。また、制御部７０は、第１温度センサ７４の検出温度Ｔ１（℃）及び第２温度センサ７５の検出温度Ｔ２（℃）に基づいて、最も効率の悪い沸き増し運転時（例えば、７：００〜２３：００の時間帯の沸き増し運転、沸き増し水量７００ｌ）に発生すると推定される二酸化炭素排出量Ｃｍａｘ２（ｋｇ）を算出する。更に、制御部７０は、実際の沸き増し運転時に発生すると推定される二酸化炭素排出量Ｃ２１（ｋｇ），Ｃ２２（ｋｇ）及び最も効率の悪い沸き増し運転時に発生すると推定される二酸化炭素排出量Ｃｍａｘ（ｋｇ）から、沸き増し運転に関する達成率Ｘ２２＝（（Ｃｍａｘ２−Ｃ２１−Ｃ２２）／Ｃｍａｘ２）×１００のように算出する。
【００４２】
よって、沸き上げ運転及び沸き増し運転を合わせた二酸化炭素排出量Ｃ（ｋｇ）に関する達成率Ｘ２は、Ｘ２＝（（Ｃｍａｘ１−Ｃ１）＋（Ｃｍａｘ２−Ｃ２１−Ｃ２２））／（（Ｃｍａｘ−Ｃｍｉｎ）＋Ｃｍａｘ２）×１００のように算出される。
【００４３】
また、制御部７０は、二酸化炭素排出量Ｃ（ｋｇ）に関する達成率Ｘ２と同様に、電気料金Ｒ（円）に関する達成率Ｘ３を算出する。制御部７０は、次のように、沸き上げ運転に関する達成率Ｘ３１を算出する。制御部７０は、第２温度センサ７５の検出温度Ｔ２（℃）において第１温度センサ７４の検出温度Ｔ１（℃）の水Ｆ１（ｌ）を目的の温度Ｔｃ１（℃）まで加熱する際の推定の消費電力量Ｗ１（Ｗｈ）を算出し、算出された消費電力量Ｗ１（Ｗｈ）に基づいて実際の沸き上げ運転時に掛かると推定される電気料金Ｒ１（円）（例えば８円／ｋＷｈ）を算出する。また、制御部７０は、第１温度センサ７４の検出温度Ｔ１（℃）及び第２温度センサ７５の検出温度Ｔ２（℃）に基づいて、最も効率的な沸き上げ運転時（例えば、水温６５℃、貯水量３２０ｌ）に掛かると推定される電気料金Ｒｍｉｎ（円）と、最も効率の悪い沸き上げ運転時（例えば、水温９０℃、貯水量３７０ｌ）に掛かると推定される電気料金Ｒｍａｘ１（円）を算出する。更に、制御部７０は、実際の沸き上げ運転時に掛かると推定される電気料金Ｒ１（円）、最も効率的な沸き上げ運転に掛かると推定される電気料金Ｒｍｉｎ（円）及び最も効率の悪い沸き上げ運転時に掛かると推定される電気料金Ｒｍａｘ１（円）から、沸き上げ運転に関する達成率Ｘ３１＝（Ｒｍａｘ１−Ｒ１）／（Ｒｍａｘ１−Ｒｍｉｎ）×１００のように算出する。
【００４４】
また、制御部７０は、次のように、沸き増し運転に関する達成率Ｘ３２を算出する。制御部７０は、各沸き増し運転時において、第２温度センサ７５の検出温度Ｔ２（℃）において第１温度センサ７４の検出温度Ｔ１（℃）の水Ｆ２（ｌ）を目的の温度Ｔｃ１（℃）まで加熱する際の推定の消費電力量Ｗ２（Ｗｈ）を算出し、算出された消費電力量Ｗ２（Ｗｈ）に基づいて実際の沸き増し運転時に掛かると推定される電気料金Ｒ２（円）を算出する。このとき、沸き増し運転を行う時間帯によって推定される単位電力当たりの電気料金が異なるため、ここでは、７：００〜２３：００の時間帯に行われた沸き増し運転時に掛かると推定される電気料金Ｒ２１（円）（例えば、２６円／ｋＷｈ）と、２３：００〜７：００の時間帯に行われた沸き増し運転時に掛かると推定される電気料金Ｒ２２（円）（例えば、８円／ｋＷｈ）とをそれぞれ算出する。また、制御部７０は、第１温度センサ７４の検出温度Ｔ１（℃）及び第２温度センサ７５の検出温度Ｔ２（℃）に基づいて、最も効率の悪い沸き増し運転時（例えば、７：００〜２３：００の時間帯の沸き増し運転、沸き増し水量７００ｌ）に掛かると推定される電気料金Ｒｍａｘ２（円）を算出する。更に、制御部７０は、実際の沸き増し運転時に掛かると推定される電気料金Ｒ２１（円），Ｒ２２（円）及び最も効率の悪い沸き増し運転時に発生すると推定される電気料金Ｒｍａｘ（円）から、沸き増し運転に関する達成率Ｘ３２＝（（Ｒｍａｘ２−Ｒ２１−Ｒ２２）／Ｒｍａｘ２）×１００のように算出する。
【００４５】
よって、沸き上げ運転及び沸き増し運転を合わせた電気料金Ｒ（円）に関する達成率Ｘ３は、Ｘ３＝（（Ｒｍａｘ１−Ｒ１）＋（Ｒｍａｘ−Ｒ２１−Ｒ２２））／（（Ｒｍａｘ−Ｒｍｉｎ）＋Ｒｍａｘ２）×１００のように算出される。
【００４６】
更に、算出された達成度Ｘ２，Ｘ３は、図４に示すように、台所リモコン７１及び浴室リモコン７２の表示部７１ｂ，７２ｂに達成率Ｘ２を最高１００％として棒グラフに表示される。この棒グラフは、過去７日の達成率Ｘ２，Ｘ３が並べて表示される。これにより、過去７日の達成率Ｘ２，Ｘ３を容易に比較することができる。また、達成率Ｘ２，Ｘ３の代わりに、図５及び図６に示すように、沸き上げ運転の達成率Ｘ２１，Ｘ３１及び沸き増し運転の達成率Ｘ２２，Ｘ３２をそれぞれ表示部７１ｂ，７２ｂに表示したり、図７に示すように、沸き上げ運転の達成率Ｘ２１，Ｘ３１及び沸き増し運転の達成率Ｘ２２，Ｘ３２を並べて表示部７１ｂ，７２ｂに表示したりしてもよい。
【００４７】
また、台所リモコン７１及び浴室リモコン７２の表示部７１ｂ，７２ｂには、二酸化炭素排出量Ｃ（ｋｇ）に関する達成率Ｘ２及び電気料金Ｒ（円）に関する達成率Ｘ３の一方が表示され、スイッチ７１ａ，７２ａの操作によって他方の達成率Ｘ２，Ｘ３が表示される。
【００４８】
また、制御部７０は、沸き増し運転に関する達成率Ｘ２２，Ｘ３２の結果が所定以上の場合に、沸き上げ運転時の貯湯タンク２１に貯える水の温度を下げる運転モードを提案する表示を表示部７１ｂ，７２ｂにするか、自動的に運転モードを切り換える。また、制御部７０は、沸き増し運転に関する達成率Ｘ２２，Ｘ３２の結果が所定以下の場合に、沸き上げ運転時の貯湯タンク２１に貯える水の温度を上げる運転モードに変更したときの達成率Ｘ２，Ｘ３を算出し、総合的により省エネルギー化を図ることができると判断した場合に運転モードの変更を提案する表示を表示部７１ｂ，７２ｂにするか、自動的に運転モードを切り換える。また、達成率Ｘ２と達成率Ｘ３の結果が異なる場合には、スイッチ７１ａ，７２ａの操作によって、達成率Ｘ２と達成率Ｘ３のどちらを基準として運転モードの切り換えの表示または自動切り替えを行うかの選択を行う。
【００４９】
このように、本実施形態の給湯装置によれば、記憶された運転データに基づいて理想的な運転として設定された運転に対する実際の運転の達成率Ｘ２を算出し、算出された達成率Ｘ２を台所用リモコン７１及び浴室用リモコン７２の表示部７１ｂ，７２ｂに表示するようにしたので、理想的な運転として設定された運転に対する実際の運転の状態を容易に確認することができ、理想的な運転として設定された運転に対する実際の運転の状態を利用者に実感させることにより省エネルギー化を促進することが可能となる。
【００５０】
また、理想的な運転として設定された運転時に排出されると推定される二酸化炭素排出量に対する実際の運転における二酸化炭素排出量の達成率Ｘ２を算出し、達成率Ｘ２台所用リモコン７１及び浴室用リモコン７２の表示部７１ｂ，７２ｂに表示するようにしたので、利用者に二酸化炭素排出量の観点から実際の運転状態を確認させることができ、環境保護の意識を向上させることが可能となる。
【００５１】
また、理想的な運転として設定された運転時に消費されると推定される電気料金に対する実際の運転における電気料金の達成率Ｘ３を算出し、達成率Ｘ３を台所用リモコン７１及び浴室用リモコン７２の表示部７１ｂ，７２ｂに表示するようにしたので、利用者に経済的な観点から実際の運転状態を確認させることができ、節約の意識を向上させることが可能となる。
【００５２】
また、二酸化炭素排出量に関する達成率Ｘ２と電気料金に関する達成率Ｘ３とを切り換えて台所用リモコン７１及び浴室用リモコン７２の表示部７１ｂ，７２ｂに表示するようにしたので、利用者の好みに応じて二酸化炭素排出量に関する達成率Ｘ２または電気料金に関する達成率Ｘ３を表示することができ、利用者の省エネルギーに対する意識を更に向上させることが可能となる。
【００５３】
また、過去７日の達成度Ｘ２，Ｘ３を並べて台所用リモコン７１及び浴室用リモコン７２の表示部７１ｂ，７２ｂに表示するようにしたので、過去の達成度Ｘ２，Ｘ３を容易に比較することができ、利用者の省エネルギー化に対する意識を更に向上させることが可能となる。
【００５４】
また、過去の達成率Ｘ２，Ｘ３に基づいて最適な運転モードを選択し、台所用リモコン７１及び浴室用リモコン７２の表示部７１ｂ，７２ｂに表示したり、自動的に運転モードを切り換えたりするようにしたので、最適な運転モードによって運転を行うことができ、より省エネルギー化を図ることが可能となる。
【図面の簡単な説明】
【００５５】
【図１】本発明の第１実施形態を示す給湯装置の概略構成図
【図２】達成度を表示する台所用リモコン及び浴室用リモコンの表示部
【図３】本発明の第２実施形態を示す給湯装置の概略構成図
【図４】達成率を表示する台所用リモコン及び浴室用リモコンの表示部
【図５】沸き上げ運転のみの達成率を表示する台所用リモコン及び浴室用リモコンの表示部
【図６】沸き増し運転のみの達成率を表示する台所用リモコン及び浴室用リモコンの表示部
【図７】沸き上げ運転及び沸き増し運転の達成率をそれぞれ並べて表示する台所用リモコン及び浴室用リモコンの表示部
【符号の説明】
【００５６】
７０…制御部、７１…台所用リモコン、７１ａ…スイッチ、７１ｂ…表示部、７２…浴室用リモコン、７２ａ…スイッチ、７２ｂ…表示部、Ｘ１…達成度、Ｘ２，Ｘ３…達成率。
【図１】
2009121781.tif 000003
【図２】
2009121781.tif 000004
【図３】
2009121781.tif 000005
【図４】
2009121781.tif 000006
【図５】
2009121781.tif 000007
【図６】
2009121781.tif 000008
【図７】
2009121781.tif 000009